(57)【要約】【課題】  環境に優しく、室内空気を汚染せず、作業員の労力が大幅に軽減でき、作業員が直接薬剤に接触することを可能な限り防止することができるシロアリ防除装置及びシロアリ防除方法を提供する。【解決手段】  建築物の周囲地下にシロアリ防除剤流通管を埋設し、シロアリ防除剤流通管には、適当な間隔をおいて、シロアリ防除剤供給管を立設し、シロアリ防除剤流通管には、多数の噴出ノズルを配設するが、噴出ノズルの開口部には金網を取付け、また開口部の頂部には隙間を設けて傘状のカバーを装着する。シロアリ防除剤は、シロアリ防除剤発泡機のノズル又はカートリッジにより、シロアリ防除剤供給管に供給する。【選択図】図３
2010004765.tif 000002
【特許請求の範囲】
【請求項１】
建築物の外周に沿って、シロアリ防除剤流通管が地下に埋設されていて、該シロアリ防除剤流通管には、適当な間隔をおいて、シロアリ防除剤供給管が立設され、
前記シロアリ防除剤流通管には、その周囲に向けて多数の小孔が穿設され、これらの小孔にはそれぞれシロアリ防除剤が流出する噴出ノズルが取付けられていることを特徴とするシロアリ防除装置。
【請求項２】
前記噴出ノズルの開口部には金網のカバーがあり、また、噴出ノズルの先端近くに外側に向けて複数の支柱が突出し、各支柱の先端が傘状のカバーを支持していることを特徴とする請求項１記載のシロアリ防除装置。
【請求項３】
シロアリ防除剤供給管には、シロアリ防除剤発泡機のノズルが接続されていること特徴とする請求項１又は請求項２記載のシロアリ防除装置。
【請求項４】
シロアリ防除剤供給管にはシロアリ防除剤を内蔵しているカートリッジが装着されていることを特徴とする請求項１乃至請求項３のいずれか１項に記載のシロアリ防除装置。
【請求項５】
建築物の外周に沿って、シロアリ防除剤流通管が地下に埋設されていて、該シロアリ防除剤流通管には、適当な間隔をおいて、シロアリ防除剤供給管が立設され、
前記シロアリ防除剤流通管には、その周囲に向けて多数の小孔が穿設され、これらの小孔にはそれぞれシロアリ防除剤が流出する噴出ノズルが取付けられ、
該噴出ノズルの開口部には金網のカバーがあり、また、噴出ノズルの先端近くに外側に向けて複数の支柱が突出し、各支柱の先端が傘状のカバーを支持しているシロアリ防除装置を用いてシロアリを防除することを特徴とするシロアリ防除方法。
【請求項６】
シロアリ防除装置のシロアリ防除剤供給管にシロアリ防除剤発泡機のノズルを接続してシロアリを防除することを特徴とする請求項５記載のシロアリ防除方法。
【請求項７】
シロアリ防除装置のシロアリ防除剤供給管にシロアリ防除剤を内蔵しているカートリッジを装着することを特徴とする請求項５又は請求項６記載のシロアリ防除方法。
【発明の詳細な説明】
【技術分野】
【０００１】
本発明は、シロアリ防除装置、及びシロアリ防除方法に関する。
【背景技術】
【０００２】
従来、木造家屋でのシロアリ防除作業では、作業員が床下に潜り込んでシロアリ防除剤を床下に散布、塗布又は注入することで行われてきた。ところが、最近の防除剤は、環境対策や健康被害を考慮して毒性の低いものが用いられるようになっており、少なくとも５年以内に再び防除作業を実施する必要に迫られている。そこで、従来のような作業を繰り返すとなると作業が面倒であるとともに費用も大となるという難点があった。
【０００３】
そこで、建築物の床下構造に沿って薬液を送る床下配管が配設されていて、この床下配管はその所望部分に前記薬液を適宜方向に噴射する噴射口が設けられているとともに、液送手段との接続口となる薬液供給口が構築物外部に臨むように開口されている床下構造が開示されている（例えば、特許文献１参照。）。
【０００４】
また、基礎の上面に固定された土台に沿って配設された防除液流通管と防除液流通管に立上げ接続された防除液供給部と、防除液流通管の土台側に穿孔され、防除液を除々に漏出させる防除液漏出小孔等を備えた木造家屋のシロアリ防除設備が公開されている（例えば、特許文献２参照。）。
【０００５】
さらに、建物の周囲部又はその周囲部に隣接して配置されるチューブシステムで、ほぼ全長に沿って複数個の開口部があり、殺虫剤がその開口部を通じて流出し、隣接地中に注ぎ込まれるシステムが公開されている（例えば、特許文献３参照。）。
【０００６】
また、シロアリの防除方法として建物の床下に発泡薬液を充満させてシロアリを防除する方法が公開されている（例えば、特許文献４参照。）。
【０００７】
【特許文献１】実開平２−１３４１０６号公報
【特許文献２】特開平１０−２８５１０号公報
【特許文献３】特開２００７−２９１０４号公報
【特許文献４】特開平９−２０５９７２号公報
【発明の開示】
【発明が解決しようとする課題】
【０００８】
特許文献１及び２の方法は、防除液が地上に散布されるが、地中にはほとんど浸透しないので作業員の労力の軽減は達成できても、地中から侵入してくるシロアリの防除効果は不十分と考えられる。また、家屋内に薬品を使用する施工は、消費者からますます受け入れられなくなっている。
【０００９】
特許文献３の方法は地中に防除液を供給しようとしているが、液状殺虫剤を隣接地中に注ぎ込む具体的な装置の構造は開示されておらず、その効果ははっきりしないという問題がある。
【００１０】
特許文献４の方法では、発泡薬液の使用が記載されているが、泡状の薬液は土壌中に均一に浸透しやすいと考えられるが、発泡薬液を単に床下に充満させるだけであり、地中にはほとんど浸透しないと考えられるため、効果は必ずしも十分ではないと考えられる。
【００１１】
本発明は地中に埋設したシロアリ防除剤流通管から泡状のシロアリ防除剤又は水溶性薬剤を地中に流出させるにあたって噴出口の目詰まりが生じることがなく、かつ泡状又は液状の薬剤ができるだけ均一にかつ円滑に流出できるようにしたものである。
【課題を解決するための手段】
【００１２】
請求項１に記載する発明は、建築物の外周に沿って、シロアリ防除剤流通管が地下に埋設されていて、該シロアリ防除剤流通管には、適当な間隔をおいて、シロアリ防除剤供給管が立設され、該シロアリ防除剤供給管の頂部には地上に露出し開閉可能な蓋が装着され、
前記シロアリ防除剤流通管には、その周囲に向けて多数の小孔が穿設され、これらの小孔にはそれぞれシロアリ防除剤が流出する噴出ノズルが取付けられていることを特徴とするシロアリ防除装置である。
【００１３】
請求項２記載の発明は、前記噴出ノズルの開口部には金網のカバーがあり、また、噴出ノズルの先端近くに周囲に向けて複数の支柱が突出し、各支柱の先端が傘状のカバーを支持していることを特徴とするシロアリ防除装置である。
【００１４】
建物の外周に沿って、シロアリ防除剤流通管を地下に埋設することから、建築物が完工した後からでもシロアリ防除装置の設置工事ができ、また、シロアリ防除剤流通管が万一破損しても容易に補修できるという利点がある。
【００１５】
噴出ノズルの開口部に金網を装着するのは、泡を細かく分断して土壌中に拡散浸透し易くするためと、土壌粒子が噴出ノズルの孔の中に入り込んで目詰まりを起こすことを防止するためである。
【００１６】
噴出ノズルの先に傘状のカバーを設けたのは、土壌粒子が噴出ノズルの孔に入り込んで目詰まりを起こすのを防止するためと、泡ができるだけ四方に拡散して広く周辺の土壌中に拡散・浸透するようにするためである。
【００１７】
請求項３記載の発明は、前記シロアリ防除剤供給管には、シロアリ防除剤発泡機のノズルが接続されていること特徴とする請求項１記載のシロアリ防除装置である。液体のシロアリ防除剤を用いるより発泡したシロアリ防除剤を供給し、散布することがより効果が大きいからである。
【００１８】
請求項４記載の発明は、前記シロアリ防除剤供給管にはシロアリ防除剤を内蔵しているカートリッジが装着されていることを特徴とする請求項１乃至請求項３記載のいずれか１項に記載のシロアリ防除装置である。ここで使用されるカートリッジには、例えば、殺虫剤の主成分と、発泡剤、界面活性剤等が含まれていて、適当な衝撃を加えるとこれらが混合して発泡し、ノズルから泡が噴出するようなタイプのものを用いることができる。また、カートリッジに適当な気体を封入して噴射させ発泡させることができる。カートリッジには、発泡剤を用いず水溶性薬剤を内蔵させてもよい。
【００１９】
請求項５記載の発明は、建築物の外周に沿って、シロアリ防除剤流通管が地下に埋設されていて、該シロアリ防除剤流通管には、適当な間隔をおいて、シロアリ防除剤供給管が立設され、
前記シロアリ防除剤流通管には、その周囲に向けて多数の小孔が穿設され、これらの小孔にはそれぞれシロアリ防除剤が流出する噴出ノズルが取付けられ、
該噴出ノズルの開口部には金網のカバーがあり、また、噴出ノズルの先端近くに外側に向けて複数の支柱が突出し、各支柱の先端が傘状のカバーを支持しているシロアリ防除装置を用いるシロアリ防除方法である。
【００２０】
請求項６記載の発明は、シロアリ防除装置のシロアリ防除剤供給管にシロアリ防除剤発泡機のノズルを接続してシロアリを防除することを特徴とする請求項４記載のシロアリ防除方法である。
【００２１】
請求項７記載の発明は、シロアリ防除装置のシロアリ防除剤供給管にシロアリ防除剤を内蔵しているカートリッジを装着することを特徴とする請求項４記載のシロアリ防除方法である。
【発明の効果】
【００２２】
本発明のシロアリ防除装置とシロアリ防除方法は、環境に優しく、また、室内空気を汚染せず、作業員の労力が大幅に軽減されるとともに、作業員が直接薬剤に触れることがないため健康被害を防止することができる。また、カートリッジを使用した場合は、泡発生機のような特別な機械器具を必要とせず、薬液の準備やホースのセッティングといった面倒な時間が節約できる。また、住宅基礎の形状の進歩により、布基礎からベタ基礎（フルベース基礎）へ変化し、外周処理の必要性が高くなってきている。住宅の基礎の内側からの進入は物理的バリアーでシロアリの侵入を防ぎ、基礎の外からの侵入を防ぐためにこのシステムは非常に有効である。
【発明を実施するための最良の形態】
【００２３】
以下、本発明の実施の形態を図１〜図４に基いて説明する。図１は、建築物の外周１の地下にシロアリ防除剤流通管２を埋設した状態を示す平面図である。矩形に埋設されたシロアリ防除剤流通管２の角の部分にシロアリ防除剤供給管３，３…が立設されている。ただし、シロアリ防除剤流通管２の直線部分が長いときは、中間部分にシロアリ防除剤供給管３を立設するとよい。シロアリ防除剤供給管３，３…の頂点には開閉可能な蓋が取付けられ、通常は、蓋が閉じられた状態であるか、シロアリ防除剤を供給するときは、蓋を開いてシロアリ防除剤発泡機のノズルを接続するか、又は、シロアリ防除剤が内蔵されているカートリッジが装着される。
【００２４】
図２（Ａ）はシロアリ防除剤流通管２の側面図であり、図２（Ｂ）はシロアリ防除剤流通管２の横断面図である。噴出ノズル４，４…は、１つの横断面についてみると、中心軸に対し、互いに直角に合計４個配設されていて、シロアリ防除剤流通管に対し、四方に広くシロアリ防除剤が噴出されるよう構成されている。
【００２５】
図３は噴出ノズル４付近の拡大説明図である。噴出ノズル４の下端はねじになっていて、シロアリ防除剤流通管２の側面に穿設された小孔にねじ込まれている。噴出ノズル４の頂部は拡径され、頂部の側面には四方に突出した支柱８，８…によって傘状のカバー９が支持されている。噴出ノズル４の中央の孔６の開口部７には噴口カバーである金網５が設けられ、泡の状態を良好にするためと土壌粒子が孔６に入り込んで目詰まりを起こすことを防いでいる。
【００２６】
シロアリ防除剤がシロアリ防除剤供給管３に、発泡機のノズル又はカートリッジ等の供給手段により泡状になって供給された後、泡状のシロアリ防除剤はシロアリ防除剤流通管２の中を流動し、噴出ノズル４の中の孔６を上昇し、噴出ノズルの先端の金網５を通過して、傘状のカバー９と噴出ノズル４の頂部との間隔から四方に拡散して土壌粒子中に広く拡散浸透する。
【００２７】
図４は、本発明で用いられるカートリッジの使用状態を示す説明図である。カートリッジ１０はシロアリ防除剤供給管３の先端に設けられた充填口１２に、カートリッジ１０の先端のねじ１１をねじ込むと、カートリッジ１０の先端に設けられた凸起１３が充填口１２の中央にある押え１４を圧迫し、カートリッジ１０の内部の薬剤が発泡して噴出し、シロアリ防除剤供給管の中へ注入される。発泡機を使用する時は、発泡機のノズルをシロアリ防除剤供給管３の充填口に直接接続すればよい。また、カートリッジには液化しやすい不燃性のガスを充填してもよい。
【００２８】
本発明で使用するシロアリ防除剤は特に限定するものではない。例えば、商品名アジエンダＭＣ（登録商標）で有効成分は一般名フィプロニル、化学名５−アミノ−１−（２，６−ジクロロ−４−トリフルオロメチルフェニル）−３−シアノ−４−トリフルオロメチルスルフィニルピラゾール：分子式Ｃ１２Ｈ４Ｃｌ２Ｆ６Ｎ４ＯＳや、商品名ハチクサンＭＣ（登録商標）で、有効成分は一般名イミダクロプリド、化学名１−（６−クロロ−３−ピリジルメチル）−Ｎ−ニトロイミダゾリジン−２−イリデンアミン：分子式Ｃ９Ｈ１０ＣｌＮ５Ｏ２などが用いられる。
【図面の簡単な説明】
【００２９】
【図１】シロアリ防除剤流通管を埋設した状態を示す平面図である。
【図２】（Ａ）シロアリ防除剤流通管の側面図である。（Ｂ）シロアリ防除剤流通管の横断面図である。
【図３】噴出ノズル付近の拡大説明図である。
【図４】カートリッジの装着状態を示す説明図である。
【符号の説明】
【００３０】
１  建築物の外周
２  シロアリ防除剤流通管
３  シロアリ防除剤供給管
４  噴出ノズル
５  金網
６  孔
７  開口部
８  支柱
９  カバー
１０  カートリッジ
１１  ねじ
１２  充填口
１３  凸起
１４  押え
１５  泡
【図１】
2010004765.tif 000003
【図２】
2010004765.tif 000004
【図３】
2010004765.tif 000005
【図４】
2010004765.tif 000006